(57)【要約】【課題】特別の部材や機構を設けることなく、搬送中継装置からのテスト処理用紙の落下、散乱を防止することができる用紙処理ユニットを提供する。【解決手段】用紙処理装置１０と、用紙処理装置１０から排出された用紙を後処理装置へ搬送する搬送中継装置２０と、からなる用紙処理ユニットであって、用紙処理装置１０は、処理モードとしてテスト処理モードを有し、搬送中継装置２０は、搬送制御手段を備え、搬送制御手段は、用紙処理装置１０がテスト処理モードにて排出したテスト処理用紙４０を搬送して排出する際、該テスト処理用紙４０を搬送中継装置２０から完全に排出せず、一部を搬送中継装置２０内に保持した状態で搬送を停止するように制御する。【選択図】図４
2020131474.tif 000002
【特許請求の範囲】
【請求項１】
用紙処理装置と、前記用紙処理装置から排出された用紙を後処理装置へ搬送する搬送中継装置と、からなる用紙処理ユニットであって、
前記用紙処理装置は、処理モードとしてテスト処理モードを有し、
前記搬送中継装置は、搬送制御手段を備え、
前記搬送制御手段は、前記用紙処理装置がテスト処理モードにて排出したテスト処理用紙を搬送して排出する際、該テスト処理用紙を前記搬送中継装置から完全に排出せず、一部を前記搬送中継装置内に保持した状態で搬送を停止するように制御することを特徴とする用紙処理ユニット。
【請求項２】
前記搬送中継装置は、用紙を挟持して回転することにより排出口から用紙を排出する排出ローラ対を備え、前記テスト処理用紙の先端側の一部を排出口から排出し、かつ後端側の一部を前記排出ローラ対で挟持した状態で搬送を停止することを特徴とする請求項１に記載の用紙処理ユニット。
【請求項３】
前記搬送中継装置は、一部を前記搬送中継装置内に保持された前記テスト処理用紙が、ユーザの取出し操作により前記搬送中継装置から完全に排出されたことを検知した後、後続の前記テスト処理用紙の搬送を再開することを特徴とする請求項１または２に記載の用紙処理ユニット。
【請求項４】
前記テスト処理用紙の一部を前記搬送中継装置内に保持した状態で搬送を停止する際、前記排出口から排出される前記テスト処理用紙の長さを調整する手段を備えることを特徴とする請求項１から３のいずれかに記載の用紙処理ユニット。
【請求項５】
前記排出口から排出される前記テスト処理用紙の長さが、前記テスト処理用紙の厚みおよび／または前記テスト処理用紙の全長に基づいて調整されることを特徴とする請求項４に記載の用紙処理ユニット。
【請求項６】
前記搬送中継装置は、前記テスト処理用紙が前記用紙処理装置から完全に排出された後、前記テスト処理用紙の一部を装置内に保持した状態で搬送を停止することを特徴とする請求項１から５のいずれかに記載の用紙処理ユニット。
【請求項７】
用紙処理装置と、前記用紙処理装置から排出された用紙を後処理装置へ搬送する搬送中継装置と、からなる用紙処理ユニットの用紙搬送制御方法であって、
前記用紙処理装置が、テスト処理モードを実行するステップと、
前記搬送中継装置が、前記用紙処理装置のテスト処理モードにおいて排出されたテスト処理用紙の搬送を開始するステップと、
前記テスト処理用紙を排出する際、該テスト処理用紙を前記搬送中継装置から完全に排出せず、一部を前記搬送中継装置内に保持した状態で搬送を停止するステップと、を含むことを特徴とする用紙搬送制御方法。
【請求項８】
前記搬送中継装置は、用紙を挟持して回転することにより排出口から用紙を排出する排出ローラ対を備え、前記テスト処理用紙の先端側の一部が排出口から排出され、かつ後端側の一部を前記排出ローラ対で挟持された状態で搬送を停止することを特徴とする請求項７に記載の用紙搬送制御方法。
【請求項９】
一部を前記搬送中継装置内に保持された前記テスト処理用紙が、ユーザの取出し操作により前記搬送中継装置から完全に排出されたことを検知した後、後続の前記テスト処理用紙の搬送を再開するステップを含むことを特徴とする請求項７または８に記載の用紙搬送制御方法。
【請求項１０】
用紙処理装置と、前記用紙処理装置から排出された用紙を後処理装置へ搬送する搬送中継装置と、からなる用紙処理ユニットの用紙搬送制御プログラムであって、
前記用紙処理装置が、テスト処理モードを実行するステップと、
前記搬送中継装置が、前記用紙処理装置のテスト処理モードにおいて排出されたテスト処理用紙の搬送を開始するステップと、
前記テスト処理用紙を排出する際、該テスト処理用紙を前記搬送中継装置から完全に排出せず、一部を前記搬送中継装置内に保持した状態で搬送を停止するステップと、を実行させることを特徴とする用紙搬送制御プログラム。
【発明の詳細な説明】
【技術分野】
【０００１】
本発明は、用紙処理ユニット、用紙搬送制御方法及び用紙搬送制御プログラムに関する。
【背景技術】
【０００２】
用紙処理装置の一実施形態である複写機やプリンタなどの画像形成装置の下流側に、ソータやステープラなど機能を備えた後処理装置を配置して使用する態様（図１参照）が知られている。
しかしながら、図１に示すように符号１０で示す画像形成装置（以下、「用紙処理装置」ともいう）と、符号３０で示す後処理装置の連結において、用紙処理装置の排紙部と後処理装置の用紙入口の接地面に対する高さが異なる場合、用紙を直接受け渡すことが困難であり、用紙詰まり（ジャム）が発生するという問題があった。
【０００３】
この問題に対し、図２に示すように、用紙処理装置の排紙部から後処理装置の用紙入口へ用紙を搬送するために符号２０で示す搬送中継装置を設ける構成が知られている。
【０００４】
用紙処理装置は、一般に、テスト処理モード（画像形成装置においてはテストプリントモード）を有する。テスト処理モードには、例えば、画像位置合わせや機器情報印刷のためのテスト用画像データにて画像を形成するモードや、異常原因の特定のためのモードなどがある。
【０００５】
特許文献１には、オプション排紙装置またはオプション中間搬送ユニットが取り付け可能であり、用紙の排紙先を複数有する画像形成装置において、用紙に適切に画像を記録することが可能な状態か否かを確認するテストプリント動作を実行する際に、用紙の搬送先を選択的に制御する画像形成装置が提案されている。
【０００６】
上述の特許文献１におけるテスト処理モードは、用紙処理装置に異常が生じた場合に、それが用紙処理装置単体の不具合であるか、接続された外部制御装置の不具合であるかを切り分けるための処理を行うものである。この場合、外部制御装置を外した状態でテスト処理が実行されるが、外部制御装置が用紙搬送の指示を行っている態様においてはテスト処理を行った用紙の搬送を指示する手段が無いため、テスト処理用紙が後続の装置との接続部でジャムとなってしまうという問題があった。
【０００７】
これに対し、特許文献１の画像形成装置によれば、外部制御装置による管理を行えないテストプリントモード時において、デフォルトの排出口に搬送して後処理装置や搬送中継装置との接続部でジャムとしてしまうことを回避することができることが記載されている。
【発明の概要】
【発明が解決しようとする課題】
【０００８】
一方、後処理装置は、用紙処理装置から排出された用紙の後処理（例えば、製本等の加工）を前提としており、テスト処理モード時に排出されたテスト処理用紙のような加工が不要な用紙に対し、無加工で搬送して所定の載置手段（排出トレイ、スタッカ等）へ排出する機構が設けられていないものがある。
【０００９】
テスト処理用紙の搬送及び載置手段を備えていない後処理装置が接続されている態様において、用紙処理装置のテスト処理を実行する場合、当該後処理装置を取り外して行われる。その結果、用紙処理装置から出力されたテスト処理用紙は、搬送中継装置から排出されることになる。
【００１０】
一般に、搬送中継装置には排出された用紙を載置可能な手段が設けられていないため、そのままテスト処理を実行すると、図３に示すようにテスト処理用紙が排出部から落下し、装置設置面（床面）に散乱してしまう。
この問題に対し、排出されたテスト処理用紙を載置可能な部材や機構を搬送中継装置に設けることは、装置の設計上困難であり、またコスト面でも不利である。
【００１１】
そこで本発明は、特別の部材や機構を設けることなく、搬送中継装置からのテスト処理用紙の落下、散乱を防止することができる用紙処理ユニットを提供することを目的とする。
【課題を解決するための手段】
【００１２】
上記課題を解決するために、本発明の用紙処理ユニットは、用紙処理装置と、前記用紙処理装置から排出された用紙を後処理装置へ搬送する搬送中継装置と、からなる用紙処理ユニットであって、前記用紙処理装置は、処理モードとしてテスト処理モードを有し、前記搬送中継装置は、搬送制御手段を備え、前記搬送制御手段は、前記用紙処理装置がテスト処理モードにて排出したテスト処理用紙を搬送して排出する際、該テスト処理用紙を前記搬送中継装置から完全に排出せず、一部を前記搬送中継装置内に保持した状態で搬送を停止するように制御することを特徴とする。
【発明の効果】
【００１３】
本発明によれば、特別の部材や機構を設けることなく、搬送中継装置からのテスト処理用紙の落下、散乱を防止することができる用紙処理ユニットを提供することができる。
【図面の簡単な説明】
【００１４】
【図１】従来の用紙処理装置と後処理装置との接続における問題点を示す説明図である。
【図２】用紙処理装置から排出された用紙を後処理装置へ搬送する搬送中継装置を備えた構成を示す説明図である。
【図３】従来の用紙処理ユニットにおける問題点を示す説明図である。
【図４】本実施形態の用紙処理ユニットの制御態様の一例を示す説明図である。
【図５】本実施形態の用紙処理ユニットと後処理装置の制御ブロック図の一例である。
【図６】本実施形態の用紙処理ユニットを構成する搬送中継装置の構成の一例を示す断面図である。
【図７】本実施形態の用紙処理ユニットを構成する搬送中継装置の構成の一例を示す断面図である。
【図８】本実施形態の用紙搬送制御方法の流れの一例を示すフローチャートである。
【発明を実施するための形態】
【００１５】
以下、本発明に係る用紙処理ユニット、用紙搬送制御方法及び用紙搬送制御プログラムについて図面を参照しながら説明する。なお、本発明は以下に示す実施形態に限定されるものではなく、他の実施形態、追加、修正、削除など、当業者が想到することができる範囲内で変更することができ、いずれの態様においても本発明の作用・効果を奏する限り、本発明の範囲に含まれるものである。
【００１６】
（用紙処理ユニット）
図４は、本発明に係る用紙処理ユニットの構成を示す断面模式図である。
本実施形態の用紙処理ユニットは、用紙処理装置１０及び搬送中継装置２０からなる。
図中、用紙処理装置内の搬送路４１ａ及び搬送中継装置内の搬送路４１ｂをそれぞれ模式的に示している。また、破線は搬送中継装置２０内の搬送ローラ群や、用紙処理装置１０である画像形成装置の用紙トレイ等の内部構造を示している。
【００１７】
なお、通常の処理を実行する際は、図２に示すように用紙処理ユニットの下流側に後処理装置３０が接続される。
後処理装置３０は、排出先がスタッカー３５のみであり、後処理を行わない無加工の用紙の搬送及び載置手段を備えていないため、テスト処理モード実行時には取り外される。
しかしながら、従来の用紙処理ユニットでは、搬送中継装置２０には排出された用紙を載置可能な手段が設けられていないため、図３に示すようにテスト処理用紙が排出部から落下し、装置設置面（床面）Ｇに散乱してしまうという不具合があった。
【００１８】
これに対し、図４に示す本実施形態の用紙処理ユニットは、用紙処理装置１０と、用紙処理装置１０から排出された用紙を後処理装置３０へ搬送する搬送中継装置２０と、からなる用紙処理ユニットであって、用紙処理装置１０は、処理モードとしてテスト処理モードを有し、搬送中継装置２０は、搬送制御手段を備え、該搬送制御手段は、用紙処理装置１０がテスト処理モードにて排出したテスト処理用紙４０を搬送して排出する際、該テスト処理用紙４０を搬送中継装置２０から完全に排出せず、一部を搬送中継装置２０内に保持した状態で搬送を停止するように制御する。
【００１９】
図５は、本実施形態の用紙処理ユニット及び後処理装置３０からなる構成（図２に示す構成）の制御ブロック図である。
用紙処理装置１０は、本体制御手段１１とメモリ１５を有し、本体制御手段１１は、搬送ローラ１３を駆動する駆動モータ１２、搬送される用紙を検知する用紙センサ１４、及び搬送中継装置２０との通信手段５１が接続されている。
搬送中継装置２０は、搬送制御手段２１を有し、搬送制御手段２１は、搬送ローラ２３を駆動する駆動モータ２２、搬送される用紙を検知する用紙センサ２４、用紙処理装置１０との通信手段５１、及び後処理装置３０との通信手段５２が接続されている。
後処理装置３０は、後処理制御手段３１を有し、後処理制御手段３１は、搬送ローラ３３を駆動する駆動モータ３２、搬送される用紙を検知する用紙センサ３４、及び搬送中継装置２０との通信手段５２が接続されている。
【００２０】
本実施形態の用紙処理ユニットにおいて、
搬送中継装置２０の搬送制御手段２１が、搬送中継装置２０のセンサ情報を本体制御手段１１へ通知し、本体制御手段１１が搬送制御手段２１へテスト処理用紙４０の搬送開始または搬送停止を通知することで、搬送制御手段２１は搬送中継装置２０内のテスト処理用紙４０の搬送開始または搬送停止の制御を行う。
なお、テスト処理モード以外の動作時には、搬送中継装置２０の搬送制御手段２１を経由して、本体制御手段１１から後処理装置３０へ印刷物の搬送開始、搬送停止を通知することができる。
【００２１】
図６及び図７は、搬送中継装置２０の構成を示す断面図であり、用紙処理装置１０が排出した用紙を搬送し、排出するまでの搬送路４１ｂを示している。
符号Ｊ１は用紙処理装置１０との連結ブラケットＢ１の取付面を示し、符号Ｊ２は後処理装置３０との連結ブラケットＢ２の取付面を示す。
搬送路４１ｂの上流側から、入口２５、入口ローラ対２３ａ、入口センサ２４ａ、第１中間ローラ２７、第２中間ローラ２８、排出口センサ２４ｂ、排出ローラ対２３ｂ、排出口２６を備えている。
各ローラは図示しない駆動モータにより駆動され、入口２５から排出口２６まで用紙を搬送する。
【００２２】
本実施形態の搬送中継装置２０は、図７に示すように、用紙を挟持して回転することにより排出口２６から用紙を排出する排出ローラ対２３ｂを備え、テスト処理用紙４０の先端側の一部を排出口２６から排出し、かつ後端側の一部を排出ローラ対２３ｂで挟持した状態で搬送を停止する。
【００２３】
先端側の一部が排出口２６から排出された状態のテスト処理用紙４０は、ユーザの取出し操作によって完全に取り出すか、駆動モータを制御して排出ローラ対２３ｂを回転させて完全に取り出すことができる。
なお、テスト処理用紙４０が排出口２６から突出した状態において、ユーザに対してテスト処理用紙４０の取出しを促すための機能を備えていることが好ましい。
取出しを促すための機能としては、例えば、用紙搬送ユニットが備える図示しない表示手段等に取出しを促す表示を行う機能や、アラームや音声等で取出しを促す機能などが挙げられる。
【００２４】
搬送中継装置２０は、一部を搬送中継装置２０内に保持されたテスト処理用紙４０が、ユーザの取出し操作により搬送中継装置２０から完全に排出されたことを検知した後、後続のテスト処理用紙４０の搬送を再開する。
【００２５】
テスト処理用紙４０が取り出されたことを検知した信号が搬送制御手段２１に入力されると、搬送停止状態（待機状態）が解除され、後続のテスト処理用紙４０の搬送が再開される。後続のテスト処理用紙４０が無い場合は、テスト処理用紙４０の搬送は終了する。
【００２６】
用紙処理装置１０から複数のテスト処理用紙４０が排出される場合は、最先のテスト処理用紙４０のみ先端側の一部を搬送中継装置２０の排出口２６から排出し、後端側の一部を排出ローラ対２３ｂで挟持した状態で搬送を停止する。後続のテスト処理用紙４０は、搬送が再開されるまで搬送路４１ｂ上の停止時点の位置にとどまる。搬送再開後、順次最先のテスト処理用紙４０の先端側の一部を排出口２６から排出し、後端側の一部を排出ローラ対２３ｂで挟持した状態で搬送を停止する。一部が排出口２６から排出されたテスト処理用紙４０に対しては、都度取出操作を行う。
作業時間短縮の観点から、複数のテスト処理用紙４０は可能な限り近接して搬送路４１ｂ上を搬送されることが好ましい。
【００２７】
先端側の一部が排出口２６から排出された状態のテスト処理用紙４０をユーザが手動で取り出す際、対象のテスト処理用紙４０が破れてしまうと、搬送中継装置２０内に残った紙片の除去が困難になる。そこで、排出ローラ対２３ｂの機構や挟持する力の調整、及び排出口２６から排出されるテスト処理用紙４０の長さの調整が行われることが好ましい。
【００２８】
排出ローラ対２３ｂの機構としては、例えば、搬送中継装置２０が備える搬送ローラ群のうち少なくとも排出ローラ対２３ｂが、ワンウェークラッチを備える構成とすることができる。排出ローラ対２３ｂがワンウェークラッチを備えることにより、挟持されたテスト処理用紙４０を破くことなくユーザが手動で引き抜いて取り出すことができる。
なお、排出ローラ対２３ｂの挟持力を調整できる場合は、テスト処理用紙４０にかかる重力や当該ローラ表面との摩擦力を考慮した力を算出し、テスト処理用紙４０の保持に必要な適切な挟持力を設定することもできる。
【００２９】
排出ローラ対２３ｂがテスト処理用紙４０を挟持する位置としては、排出ローラ対２３ｂの挟持に対抗して引き出すのに要する力が少なくなるように適宜選択することができるが、用紙後端部に近いことが好ましい。また、テスト処理により用紙に記録された画像等が排出ローラ対２３ｂとの摩擦により汚損しないよう、画像が形成されていない余白部分が挟持されることが好ましい。具体的には、用紙後端部から数十ミリ程度の位置とすることが好ましい。
【００３０】
一方、本実施形態の用紙処理ユニットは、テスト処理用紙４０の一部を搬送中継装置２０内に保持した状態で搬送を停止する際、排出口２６から排出されるテスト処理用紙４０の長さを調整する手段（以下、「長さ調整手段」という）を備える態様とすることができる。
【００３１】
長さ調整手段は、検出手段等により検知されたテスト処理用紙４０のデータに基づき適切な長さを判断して設定するものであってもよいし、用紙処理ユニットが備える入力手段等にユーザが適宜長さを入力して設定するものであってもよい。
【００３２】
ユーザによる取出し易さのために排出口２６から排出される用紙は、可能な限り突出させることが好ましいが、テスト処理用紙４０が厚みのある用紙である場合、突出する部分が長いことにより自重により落下してしまうおそれや、放置された場合に用紙が折れたりカールしたりするおそれがある。
また、テスト処理用紙４０が長尺の用紙である場合は、排出される長さと全長とのバランスを考慮する必要があり、装置内に保持される長さが長くなると、ユーザによる取出しが困難となる。
そこで、排出口２６から排出されるテスト処理用紙４０の長さは、テスト処理用紙４０の厚みおよび／またはテスト処理用紙４０の全長に基づいて調整されることが好ましい。
【００３３】
なお、テスト処理用紙４０が長尺の用紙である場合、搬送中継装置２０の排出口２６から接地面までの距離を考慮し、テスト処理用紙４０の先端が接地面に届かないように排出される長さを設定することもできる。これにより、用紙が接地して汚損してしまうのを防ぐことができる。
【００３４】
また、テスト処理用紙４０が長尺の用紙である場合、搬送中継装置２０は、テスト処理用紙４０が用紙処理装置１０から完全に排出された後、テスト処理用紙４０の一部を装置内に保持した状態で搬送を停止することが好ましい。
テスト処理用紙４０の後端が用紙処理装置１０内の搬送ローラに挟持された状態で停止した場合、ユーザが手動でテスト処理用紙４０を取り出すのは非常に困難であり、取出し動作時にテスト処理用紙４０が破れた場合の紙片除去も困難となるためである。
【００３５】
上述の本実施形態の用紙処理ユニットによれば、搬送中継装置２０の排出口２６から排出されるテスト処理用紙４０を回収するための特別の部材や機構を設けることなく、搬送中継装置２０からのテスト処理用紙４０の落下、散乱を防止することができる。
【００３６】
（用紙搬送制御方法）
本発明に係る用紙搬送制御方法は、用紙処理装置１０と、用紙処理装置１０から排出された用紙を後処理装置３０へ搬送する搬送中継装置２０と、からなる用紙処理ユニットの用紙搬送制御方法であって、用紙処理装置１０がテスト処理モードを実行するステップと、搬送中継装置２０が、用紙処理装置１０のテスト処理モードにおいて排出されたテスト処理用紙４０の搬送を開始するステップと、テスト処理用紙４０を排出する際、該テスト処理用紙４０を搬送中継装置２０から完全に排出せず、一部を搬送中継装置２０内に保持した状態で搬送を停止するステップと、を含む。
【００３７】
本実施形態の用紙搬送制御方法において、搬送中継装置２０は、用紙を挟持して回転することにより排出口２６から用紙を排出する排出ローラ対２３ｂを備え、テスト処理用紙４０の先端側の一部が排出口２６から排出され、かつ後端側の一部を排出ローラ対２３ｂで挟持された状態で搬送を停止する。
【００３８】
また、本実施形態の用紙搬送制御方法は、一部を搬送中継装置２０内に保持されたテスト処理用紙４０が、ユーザの取出し操作により搬送中継装置２０から完全に排出されたことを検知した後、後続のテスト処理用紙４０の搬送を再開するステップを含む。
【００３９】
図８は、用紙処理装置１０と搬送中継装置２０とからなる用紙処理ユニットの用紙搬送制御方法の流れを示すフローチャートである。
まず、用紙処理装置１０がテスト処理を開始した後、用紙処理装置１０からテスト処理用紙４０が排出される（Ｓ００１）。排出されたテスト処理用紙４０が搬送中継装置２０に引き渡され、搬送中継装置２０がテスト処理用紙４０の搬送を開始する（Ｓ００２）。
【００４０】
次いで、テスト処理用紙４０が、搬送中継装置２０内の排出口センサ２４ｂに検知される位置に到達したか判断する（Ｓ００３）。当該位置に到達していない場合は搬送を継続し、到達した場合は、先端側の所定の長さが排出口２６から排出されるまで搬送し、後端側の一部を排出ローラ対２３ｂで挟持された状態で搬送を停止する（Ｓ００４）。
【００４１】
停止後は、用紙処理ユニットが備える表示手段に、当該テスト処理用紙４０の取出しを促す表示を行う（Ｓ００５）。
なお、テスト処理用紙４０の取出しを促す通知は、ユーザに伝達可能な手段であれば表示手段に表示する方法に限定されない。
【００４２】
次いで、テスト処理用紙４０が取り除かれたかを判断し（Ｓ００６）、取り除かれていない場合は停止状態を継続する。対象のテスト処理用紙４０が取り除かれた場合は、後続のテスト処理用紙４０の有無を判断し（Ｓ００７）、後続のテスト処理用紙４０がある場合はステップＳ００２に戻り、搬送を再開する。後続のテスト処理用紙４０が無い場合は、テスト処理を終了する。
【００４３】
上述の本実施形態の用紙搬送制御方法によれば、搬送中継装置２０の排出口２６から排出されるテスト処理用紙４０を回収するための特別の部材や機構を設けることなく、搬送中継装置２０からのテスト処理用紙４０の落下、散乱を防止することができる。
【００４４】
なお、用紙処理装置１０が画像形成装置の態様において、テスト処理としてのテスト印刷を実施し、印刷されたテストプリントで印刷位置や色の確認を行った後は、製本等の所望の後処理機能を備えた後処理装置３０を接続し、通常動作モードにて印刷を行う。
その他、画像形成装置において機器情報印刷のためのテスト印刷を実行した場合も同様に、印刷内容を確認した後、後処理装置３０を接続して通常動作モードにて印刷を行う。
【００４５】
（用紙搬送制御プログラム）
本実施形態に係る用紙搬送制御プログラムは、用紙処理装置１０と、用紙処理装置１０から排出された用紙を後処理装置３０へ搬送する搬送中継装置２０と、からなる用紙処理ユニットの用紙搬送制御プログラムであって、用紙処理装置１０が、処理モードとしてテスト処理モードを実行するステップと、搬送中継装置２０が、用紙処理装置１０のテスト処理モードにおいて排出されたテスト処理用紙４０の搬送を開始するステップと、テスト処理用紙４０を排出する際、該テスト処理用紙４０を搬送中継装置２０から完全に排出せず、一部を搬送中継装置２０内に保持した状態で搬送を停止するステップと、を実行させるプログラムである。
【００４６】
上述の本実施形態の用紙処理ユニットの機能を実現する用紙搬送制御プログラムは、例えば、インストール可能な形式又は実行可能な形式のファイルでＣＤ−ＲＯＭ、メモリカード、ＣＤ−Ｒ及びＤＶＤ等のコンピュータで読み取り可能な記憶媒体に記憶されて提供される。
また、本実施形態に係る用紙搬送制御プログラムは、インターネット等のネットワークに接続されたコンピュータ上に格納し、ネットワーク経由でダウンロードさせることにより提供される構成であってもよく、ダウンロードさせずにインターネット等のネットワーク経由で提供される構成であってもよい。
また、ＲＯＭ、ＨＤＤ等に予め組み込んで提供する構成であってもよく、用紙処理ユニットに含まれる機能部のうちプログラムにより実現可能な機能を含むモジュール構成となっていてもよい。
【００４７】
本実施形態の用紙搬送制御プログラムによれば、搬送中継装置２０の排出口２６から排出されるテスト処理用紙４０を回収するための特別の部材や機構を設けることなく、搬送中継装置２０からのテスト処理用紙４０の落下、散乱を防止することができる。
【符号の説明】
【００４８】
１０          用紙処理装置
２０          搬送中継装置
２１          搬送制御手段
２３          搬送ローラ
２３ａ        入口ローラ対
２４          用紙センサ
２４ａ        入口センサ
２４ｂ        排出口センサ
２５          入口
２６          排出口
２７          第１中間ローラ
２８          第２中間ローラ
３０          後処理装置
４０          テスト処理用紙
４１ａ        搬送路（用紙処理装置内）
４１ｂ        搬送路（搬送中継装置内）
【先行技術文献】
【特許文献】
【００４９】
【特許文献１】特開２００６−３２１０５８号公報
【図１】
2020131474.tif 000003
【図２】
2020131474.tif 000004
【図３】
2020131474.tif 000005
【図４】
2020131474.tif 000006
【図５】
2020131474.tif 000007
【図６】
2020131474.tif 000008
【図７】
2020131474.tif 000009
【図８】
2020131474.tif 000010